(57)【要約】【課題】不良カードを裁断することなく新品カード及び良品カードと見分けられるようにすること。【解決手段】不良カード（３）をリジェクトボックス（１７）に排出するカードプリンタであって、不良カード（３）をリジェクトボックス（１７）に排出する前に不良カード（３）の少なくとも片面或いは表裏に傷を付ける手段（３０，４０）を有することを特徴とするカードプリンタ。不良カード（３）が磁気ストライプを有する場合は、前記手段（３０，４０）は、不良カード（３）を、磁気ストライプの長手方向にリジェクトボックスへ搬送する搬送路に取り付けられ、不良カード（３）の表面に当たる刃（３１，４１）を有し、この刃（３１，４１）の方向が、その長手方向と一致することが好ましい。【選択図】図２
2018060355.tif 000002
【特許請求の範囲】
【請求項１】
不良カードをリジェクトボックスに排出するカードプリンタであって、不良カードをリジェクトボックスに排出する前に不良カードの少なくとも片面に傷を付ける手段を有することを特徴とするカードプリンタ。
【請求項２】
前記手段は、不良カードをリジェクトボックスに排出する前に不良カードの表裏に傷を付ける手段であることを特徴とする請求項１に記載のカードプリンタ。
【請求項３】
前記不良カードは、磁気ストライプを有し、
前記手段は、不良カードを、磁気ストライプの長手方向にリジェクトボックスへ搬送する搬送路に取り付けられ、不良カードの表面に当たる刃を有し、この刃の方向が、その長手方向と一致することを特徴とする請求項１又は２に記載のカードプリンタ。
【発明の詳細な説明】
【技術分野】
【０００１】
本発明は、カードプリンタに関する。
【背景技術】
【０００２】
一般に、カードプリンタは、カードスタッカーに複数の新品カードを収納し、カードスカッターから排出される新品カードに対して、印刷、ＩＣチップに情報を記録するＩＣエンコード、磁気ストライプに情報を記録する磁気エンコード等の処理を行なう装置であって、これらのいずれかの処理に失敗すると、これらのいずれかの処理に失敗したカードを、不良カードとして、プリンタ内に備え付け又は外付けされたリジェクトボックスに排出する（例えば特許文献１参照）。
【０００３】
また、一般に、セキュリティ性が高いカードの場合、リジェクトボックスに入った不良カードの員数管理も行われる。
【０００４】
従来、リジェクトボックスと、リジェクトボックスに排出された不良カードになされる処理には、下記の（１）〜（３）に示すような例があった。
【０００５】
（１）施錠無しのリジェクトボックスに排出され、その後リジェクトボックスから取り出されカードシュレッタ等で処理される。
【０００６】
（２）施錠付のリジェクトボックスに排出され、その後リジェクトボックスから取り出されカードシュレッタ等で処理される。
【０００７】
（３）リジェクトボックス自体がシュレッタになっており、リジェクトボックスから取り出される時には不良カードが裁断される。
【０００８】
このような、リジェクトボックスと、リジェクトボックスに排出された不良カードになされる処理との例には、以下のような問題があった。
【０００９】
まず、上記（１）の例では、印刷されずエラー排出された不良カードは、新品カードと見た目が同じであるため、新品カードと見分けがつかなくなり、新品カードと混ざった場合、不良カードを探し出すのが困難であり、新品カードと間違い、カードスタッカーに挿入してしまう可能性があり、この場合生産効率が落ちてしまう。また、不良カードを用いて不正に偽造品を作製される可能性がある。
【００１０】
また、印刷に成功したけれども、ＩＣエンコード、磁気エンコードのいずれかに失敗した不良カードは、良品カードと見た目が同じであるため、良品カードと見分けがつかなくなり、良品カードと混ざった場合、不良カードを探し出すのが困難であり、良品カードと間違い、出荷してしまう可能性がある。
【００１１】
次に、上記（２）の例では、リジェクトボックスに鍵をかける事で、不正に不良カードを持ち出す可能性が低くなるが、上記（１）の例と同様の問題がある
【００１２】
最後に、上記（３）の例では、不良カードは裁断されているため、新品カード或いは良品カードと見分けがつき、かつ不正に偽造品を作製される可能性も良品カードと間違い出荷してしまう可能性も無くなるが、裁断後のカードはバラバラなので、不良カードの員数管理を行う事が出来なくなり、かつ裁断後の不良カードの取出し等の処理に手間がかかり
、メンテナンス時間を要してしまう。また、カードがバラバラになってしまうので、不良の解析を行う事が出来なくなってしまう。
【先行技術文献】
【特許文献】
【００１３】
【特許文献１】特開２０１２−２４３１５４号公報
【発明の概要】
【発明が解決しようとする課題】
【００１４】
本発明は、このような事情を考慮してなされたもので、不良カードを裁断することなく新品カード及び良品カードと見分けられるようにすることを課題とする。
【課題を解決するための手段】
【００１５】
本発明において上記課題を解決するために、まず請求項１の発明では、
不良カードをリジェクトボックスに排出するカードプリンタであって、不良カードをリジェクトボックスに排出する前に不良カードの少なくとも片面に傷を付ける手段を有することを特徴とするカードプリンタとしたものである。
【００１６】
また請求項２の発明では、
前記手段は、不良カードをリジェクトボックスに排出する前に不良カードの表裏に傷を付ける手段であることを特徴とする請求項１に記載のカードプリンタとしたものである。
【００１７】
また、請求項３の発明では、
前記不良カードは、磁気ストライプを有し、
前記手段は、不良カードを、磁気ストライプの長手方向にリジェクトボックスへ搬送する搬送路に取り付けられ、不良カードの表面に当たる刃を有し、この刃の方向が、その長手方向と一致することを特徴とする請求項１又は２に記載のカードプリンタとしたものである。
【発明の効果】
【００１８】
本発明の請求項１に係る発明は、少なくとも片面が傷付いた不良カードをリジェクトボックスに排出することができる。このため、不良カードの少なくとも片面には傷が付けられているので、不良カードを新品カード及び良品カードと見分けることができる。また、不良カードは少なくとも片面が傷付いただけなので、リジェクトボックスから不良カードを取り出すことが容易で、不良カードの員数管理もでき、目視で印刷不良を解析することもできる。
【００１９】
また、不良カードが非接触ＩＣカードの場合、不良カードの少なくとも片面が傷付いただけなので、非接触ＩＣカードに内蔵されているＩＣチップに記録されている情報を読み込むことができ、そのため、ＩＣチップへの情報の記録状況を確認することで、ＩＣエンコード不良の解析を行うことができる。
【００２０】
さらに、不良カードが接触ＩＣカードの場合、接触ＩＣカードの表面に埋め込まれているＩＣモジュールの表面が傷付いても、ＩＣモジュールの接触端子が傷付くことがあるだけなので、ＩＣモジュールに含まれているＩＣチップに記録されている情報を読み込むことができ、そのため、ＩＣチップへの情報の記録状況を確認することで、ＩＣエンコード不良の解析を行うことができる。
【００２１】
また、本発明の請求項２に係る発明は、表裏が傷付いた不良カードをリジェクトボック
スに排出することができる。このため、不良カードの表裏には傷が付けられているので、不良カードを新品カード及び良品カードと見分けることが、不良カードの片面だけに傷が付いている場合よりも容易にでき、不良カードが誤って新品カード或いは良品カードと、ごちゃ混ぜになっても、不良カードを容易に取り出すことができる。また、不良カードは表裏が傷付いただけなので、本発明の請求項１に係る発明と同様に、リジェクトボックスから不良カードを取り出すことが容易で、不良カードの員数管理もでき、目視で印刷不良を解析することもでき、不良カードが、非接触ＩＣカードの場合でも、接触ＩＣカードの場合でも、不良の解析を行うことができる。
【００２２】
また、本発明の請求項３に係る発明は、不良カードの磁気ストライプに傷が付いても、この磁気ストライプの長手方向に傷が付くので、この磁気ストライプに記録されている情報を読み込むことができ、そのため、磁気ストライプへの情報の記録状況を確認することで、磁気エンコード不良の解析を行うことができる。また、本発明の請求項１又は２に係る発明と同様に、不良カードの少なくとも片面或いは表裏には傷が付けられているので、不良カードを新品カード及び良品カードと見分けることができる。また、本発明の請求項１又は２に係る発明と同様に、不良カードは少なくとも片面或いは表裏が傷付いただけなので、リジェクトボックスから不良カードを取り出すことが容易で、不良カードの員数管理もでき、目視で印刷不良を解析することもでき、不良カードが、非接触ＩＣカードの場合でも、接触ＩＣカードの場合でも、不良の解析を行うことができる。
【００２３】
以上、本発明は、不良カードを裁断することなく新品カード及び良品カードと見分けられるという効果がある。
【図面の簡単な説明】
【００２４】
【図１】本発明のカードプリンタの構成例を示す模式図。
【図２】不良カードのリジェクトボックスへの搬送路とそれに取り付けられた表面傷付け刃ユニットとの例を横から見た模式図。
【図３】表面傷付け刃ユニットの例を前から見たときの図。
【図４】不良カードの表側表面に付けた長辺方向に伸びる直線状の傷の例を示す平面図であって、（ａ）は不良カードが非接触ＩＣカード或いはＩＣチップを搭載していないカード、（ｂ）は不良カードが磁気カード、（ｃ）は不良カードが接触ＩＣカードである場合の平面図。
【図５】本発明のカードプリンタが行う処理の流れの例を示すフローチャート。
【発明を実施するための形態】
【００２５】
以下に、本発明の一実施形態を説明する。
【００２６】
図１に示すように、本発明のカードプリンタ１０は、カードスタッカー１１と、ＩＣ・磁気エンコーダ部１２と、印刷部１３と、不良判定部１４と、カード排出部１５と、良品スタッカー１６と、リジェクトボックス１７と、カード搬送路１８とを備える。
【００２７】
カードスタッカー１１は、新品カード１を積み重ねて収納する装置である。
【００２８】
ＩＣ・磁気エンコーダ部１２は、新品カードがＩＣチップを有するＩＣカードの場合に、このＩＣチップに情報を記録するＩＣエンコードを行ない、新品カードが磁気ストライプを有する磁気カードの場合に、この磁気ストライプに情報を記録する磁気エンコードを行い、新品カードがＩＣチップも磁気ストライプも有しない場合、何も行わない装置である。
【００２９】
印刷部１３は、新品カードに印刷を施す装置である。
【００３０】
不良判定部１４は、ＩＣエンコードが行われた場合にはＩＣエンコードが失敗したか否か、磁気エンコードが行われた場合には磁気エンコードに失敗したか否か、さらに、印刷に失敗したか否かを確かめて、ＩＣエンコード、磁気エンコード、印刷のいずれかに失敗した不良カードなのか、或いは、そうではない良品カードなのかを判定する装置である。
【００３１】
カード排出部１５は、良品カードを、良品スタッカー１６に排出する装置である。
【００３２】
良品スタッカー１６は、良品カード２を収納する装置である。
【００３３】
リジェクトボックス１７は、不良カード３を収納する装置である。
【００３４】
カード搬送路１８は、カードスタッカー１１から排出された新品カードが、まず、ＩＣ・磁気エンコーダ部１２に搬送されて、その新品カードがＩＣカードの場合にＩＣエンコードが行われ、その新品カードが磁気カードの場合に磁気エンコードが行われ、次に、印刷部１３に搬送されて、印刷され、次に、不良判定部１４に搬送されて、良品カードと判定された場合に、カード排出部１５に搬送されて、良品スタッカー１６に排出される際に辿る路である。
【００３５】
不良判定部１４は、不良カードと判定した場合には、不良カードの搬送路を、カード搬送路１８から、リジェクトボックスへの搬送路に切り替える装置でもある。
【００３６】
リジェクトボックスへの搬送路は、図２に示すように、不良カード３をリジェクトボックス１７へ搬送するローラー２１〜２４を備え、不良カード３の表側表面に接する上側のローラー２１とローラー２２との間に表面傷付け刃ユニット３０が取り付けられ、不良カード３の裏側表面に接する下側のローラー２３とローラー２４との間に表面傷付け刃ユニット４０が取り付けられている。
【００３７】
図３に示すように、表面傷付け刃ユニット３０は、不良カード３の表側表面に当たる刃３１〜３３を組み合わせて１つのユニットとしたものであり、また、表面傷付け刃ユニット４０は、不良カード３の裏側表面に当たる刃４１〜４２を組み合わせて１つのユニットとしたものであり、刃３１〜３３と刃４１〜４２とは交互に配列される千鳥配列になっている。刃３１〜３３と刃４１〜４２とは、例えば、カッターでも良い。
【００３８】
刃３１〜３３の方向、刃４１〜４２の方向は、いずれも、不良カード３のリジェクトボックス１７へ搬送される方向と一致している。
【００３９】
そして、刃３１〜３３は、不良カード３の表側表面に当たるだけで、この表側表面に上側から圧を加えず、刃４１〜４２は、不良カード３の裏側表面に当たるだけで、この裏側表面に下側から圧を加えず、しかも、刃３１〜３３と刃４１〜４２とは交互に配列される千鳥配列になっているので、不良カード３がローラー２１〜２４を通過してリジェクトボックス１７に搬送されると、不良カード３を裁断することなく、不良カード３の表側表面及び裏側表面のみに、直線状の傷を付けることができる。
【００４０】
表面傷付け刃ユニット３０と表面傷付け刃ユニット４０とは、それぞれ、取り付けだけ
ではなく、取り外しも可能で、表面傷付け刃ユニット３０を取り外すことで、不良カード３の裏側表面のみを傷付けることができ、表面傷付け刃ユニット４０を取り外すことで、不良カード３の表側表面のみを傷付けることができる。
【００４１】
図４に、表面傷付け刃ユニット３０の刃３１〜３３、それぞれで、不良カード３の表側表面に付けた長辺方向に傷付けられた直線状の傷６〜７の例を示す。
【００４２】
不良カード３が非接触ＩＣカードの場合、図４（ａ）に示すように、不良カード３の表面が傷付いただけなので、非接触ＩＣカードに内蔵されているＩＣチップに記録されている情報を読み込むことができる。そのため、ＩＣチップへの情報の記録状況を確認することで、ＩＣエンコード不良の解析を行うことができる。
【００４３】
不良カード３が磁気カードの場合、図４（ｂ）に示すように、磁気ストライプ４上に、磁気ストライプ４の長手方向の直線状の傷６が付いた状態では、この磁気ストライプ４に記録されている情報を読み込むことができる。そのため、磁気ストライプ４への情報の記録状況を確認することで、磁気エンコード不良の解析を行うことができる。但し、長辺方向とは垂直の巾方向に傷を付けた場合には、この磁気ストライプ４に記録されている情報を読み込むことはできない。磁気ストライプ４上に、磁気ストライプ４の長手方向の直線状の傷６を付けるには、不良カード３のリジェクトボックス１７へ搬送される方向と、不良カード３の磁気ストライプ４の長手方向とを一致させれば良い。
【００４４】
不良カード３が接触ＩＣカードの場合、図４（ｃ）に示すように、接触ＩＣカードの表面に埋め込まれているＩＣモジュール５の表面に傷７が付いた状態では、ＩＣモジュール５の接触端子が傷付くことがあるだけなので、ＩＣモジュール５に含まれているＩＣチップに記録されている情報を読み込むことができる。そのため、ＩＣチップへの情報の記録状況を確認することで、ＩＣエンコード不良の解析を行うことができる。
【００４５】
また、不良カードの表面が傷付くだけなので、目視で印刷不良を解析することができるだけではなく、リジェクトボックスから不良カードを取り出すことが容易で、不良カードの員数管理もできる。さらに、不良カードの表面の傷から、不良カードを新品カード及び良品カードと見分けることができる。
【００４６】
以下に、本発明のカードプリンタが行う処理の流れの例を、図５のフローチャートに従って説明する。
【００４７】
Ｓ（ＳＴＥＰ）１；
カードスタッカー１１から新品カードをカード搬送路１８に一枚排出する。
【００４８】
Ｓ（ＳＴＥＰ）２；
新品カードをカード搬送路１８に沿ってＩＣ・磁気エンコーダ部１２に搬送する。
【００４９】
Ｓ（ＳＴＥＰ）３；
ＩＣ・磁気エンコーダ部１２で、新品カードがＩＣチップを有するＩＣカードの場合に、このＩＣチップに情報を記録するＩＣエンコードを行ない、新品カードが磁気ストライプを有する磁気カードの場合に、この磁気ストライプに情報を記録する磁気エンコードを行ない、新品カードがＩＣチップも磁気ストライプも有しない場合、何も行わない。
【００５０】
Ｓ（ＳＴＥＰ）４；
ＩＣエンコード、磁気エンコードのいずれか、又は、双方がなされたか、或いはいずれもなされなかった新品カードを、カード搬送路１８に沿って印刷部１３に搬送する。
【００５１】
Ｓ（ＳＴＥＰ）５；
ＩＣエンコード、磁気エンコードのいずれかがなされたか、又は、双方がなされたか、或いはいずれもなされなかった新品カードに、印刷部１３で、印刷を施す。
【００５２】
Ｓ（ＳＴＥＰ）６；
ＩＣエンコード、磁気エンコードのいずれかがなされたか、又は、双方がなされたか、或いはいずれもなされず、印刷がなされた新品カードを、カード搬送路１８に沿って不良判定部１４に搬送する。
【００５３】
Ｓ（ＳＴＥＰ）７；
ＩＣエンコード、磁気エンコードのいずれかがなされたか、又は、双方がなされたか、或いはいずれもなされず、印刷がなされた新品カードに対して、ＩＣエンコードが行われた場合にはＩＣエンコードが失敗したか否か、磁気エンコードが行われた場合には磁気エンコードに失敗したか否か、さらに、印刷に失敗したか否かを確かめて、ＩＣエンコード、磁気エンコード、印刷のいずれかに失敗した不良カードなのか、或いは、そうではない良品カードなのかを、不良判定部１４で判定する。
【００５４】
Ｓ（ＳＴＥＰ）８；
不良カードであるならば、ＳＴＥＰ９に進み、
良品カードであるならば、ＳＴＥＰ１１に進む。
【００５５】
Ｓ（ＳＴＥＰ）９；
不良判定部１４で、不良カードの搬送路を、カード搬送路１８から、リジェクトボックス１７への搬送路に切り替える。
【００５６】
Ｓ（ＳＴＥＰ）１０；
リジェクトボックス１７への搬送路に沿って、不良カードを、リジェクトボックス１７に搬送することで、表面傷付け刃ユニット３０の刃３１〜３３で不良カードの表側表面を傷付け、表面傷付け刃ユニット４０の刃４１〜４２で不良カードの裏側表面を傷付けて、リジェクトボックス１７に排出し、ＥＮＤに進む。
【００５７】
Ｓ（ＳＴＥＰ）１１；
良品カードを、カード搬送路１８に沿ってカード排出部１５に搬送する。
【００５８】
Ｓ（ＳＴＥＰ）１２；
良品カードを、カード排出部１５から、良品スタッカー１６に排出し、ＥＮＤに進む。
【符号の説明】
【００５９】
１…新品カード
２…良品カード
３…不良カード
４…磁気ストライプ
５…ＩＣモジュール
６…傷
７…傷
８…傷
１０…カードプリンタ
１１…カードスタッカー
１２…ＩＣ・磁気エンコーダ部
１３…印刷部
１４…不良判定部
１５…カード排出部
１６…良品スタッカー
１７…リジェクトボックス
１８…カード搬送路
２１…ローラー
２２…ローラー
２３…ローラー
２４…ローラー
３０…表面傷付け刃ユニット
３１…刃
３２…刃
３３…刃
４０…表面傷付け刃ユニット
４１…刃
４２…刃
【図１】
2018060355.tif 000003
【図２】
2018060355.tif 000004
【図３】
2018060355.tif 000005
【図４】
2018060355.tif 000006
【図５】
2018060355.tif 000007